(57)【要約】【課題】治療面が鉄などにくっついてしまっても、簡易に剥がすことのできる磁気治療器を提供する。【解決手段】磁気発生体２とパッド本体１とを有する貼付パッド１０を備え、前記貼付パッド１０には、体へ貼り付ける治療面１２が設けられており、前記治療面１２に突部７を設けた。【選択図】図１
2010119784.tif 000002
【特許請求の範囲】
【請求項１】
磁気発生体とパッド本体とを有する貼付パッドを備え、
前記貼付パッドには、体へ貼り付ける治療面が設けられており、
前記治療面に突部を設けたことを特徴とする磁気治療器。
【請求項２】
前記パッド本体は内部空間を有するように形成されており、
前記内部空間に前記磁気発生体が収容されていることを特徴とする請求項１に記載の磁気治療器。
【請求項３】
前記パッド本体は、上部ケースと下部ケースとを接合することにより形成されていることを特徴とする請求項１または請求項２に記載の磁気治療器。
【請求項４】
前記パッド本体には、前記上部ケース及び下部ケースを接合した際に形成される隙間を塞ぐＯリングが嵌合されていることを特徴とする請求項３に記載の磁気治療器。
【請求項５】
前記磁気発生体は、前記パッド本体に溶着されていることを特徴とする請求項２〜４のうち何れか１項に記載の磁気治療器。
【請求項６】
前記治療面には、シボが形成されていることを特徴とする請求項１〜５のうち何れか１項に記載の磁気治療器。
【請求項７】
前記シボは前記治療面の中央部に形成されており、
前記治療面における前記シボの外周部は平坦面とされていることを特徴とする請求項６に記載の磁気治療器。
【請求項８】
前記磁気発生体は磁石を備えると共に、前記貼付パッドは第１の貼付パッドと第２の貼付パッドとを備え、
前記第１の貼付パッド及び第２の貼付パッドは、前記パッド本体に前記磁石を互いに極性が異なるように設けることで形成されていることを特徴とする請求項１〜７のうち何れか１項に記載の磁気治療器。
【請求項９】
前記第１の貼付パッドのパッド本体に嵌合されるＯリングと、前記第２の貼付パッドのパッド本体に嵌合されるＯリングとの色彩を異ならせたことを特徴とする請求項８に記載の磁気治療器。
【請求項１０】
前記治療面には、粘着シートが貼り付けられることを特徴とする請求項１〜９のうち何れか１項に記載の磁気治療器。
【請求項１１】
前記粘着シートは、粘着剤層の両面にそれぞれ剥離紙が貼り付けられており、
前記粘着剤層の一方の面に貼り付けられる第１の剥離紙との粘着強度を、前記粘着剤層の他方の面に貼り付けられる第２の剥離紙との粘着強度よりも強くしたことを特徴とする請求項１０に記載の磁気治療器。
【請求項１２】
前記第１の剥離紙は、前記粘着剤層よりも大きいことを特徴とする請求項１１に記載の磁気治療器。
【請求項１３】
前記粘着剤層には、前記突部を挿通させる孔が設けられていることを特徴とする請求項１１または請求項１２に記載の磁気治療器。
【請求項１４】
少なくとも請求項１〜１３のうち何れか１項に記載の磁気治療器を収納するケースであって、
当該ケースには、前記磁気治療器を収納した状態で当該磁気治療器から発生する磁気を遮蔽するシールド板が設けられていることを特徴とするケース。
【発明の詳細な説明】
【技術分野】
【０００１】
本発明は、体に貼り付けて使用する磁気治療器に関する。
【背景技術】
【０００２】
従来より、肩こりや腰痛などを緩和する治療器具として体に貼り付けて使用する磁気治療器が利用されている（例えば、特許文献１参照）。
【０００３】
特許文献１では、貼付パッドの内部に永久磁石を配設すると共に、当該貼付パッドの体へ貼り付ける治療面を平坦に形成し、当該治療面に予め貼り付けられた離形紙を剥がすことで治療面を体に貼り付けられるようにしていた。
【特許文献１】特開２００５−３２８９０７号公報
【発明の開示】
【発明が解決しようとする課題】
【０００４】
ところで、この種の構造の磁気治療器では、人体に作用する磁気の量を多くするために強力な永久磁石を用いている。
【０００５】
そのため、磁石の磁気吸引力により治療面が鉄などにくっついてしまうと剥がしずらくなるという問題があった。
【０００６】
そこで、本発明は、治療面が鉄などにくっついてしまっても、簡易に剥がすことのできる磁気治療器を提供することを目的とする。
【課題を解決するための手段】
【０００７】
本発明は、磁気発生体とパッド本体とを有する貼付パッドを備え、前記貼付パッドには、体へ貼り付ける治療面が設けられており、前記治療面に突部を設けたことを特徴とする。
【発明の効果】
【０００８】
本発明によれば、治療面に突部が設けられた貼付パッドを用いるため、突部によって治療面全体がくっついてしまうことを防止でき、これにより治療面を簡易に剥がすことが可能となる。
【発明を実施するための最良の形態】
【０００９】
以下、本発明の実施形態について図面を参照しながら詳細に説明する。
【００１０】
図１は本実施形態にかかる磁気治療器の第１及び第２の貼付パッドを示した図、図２は貼付パッドの断面図、図３は貼付パッドの治療面を示した図、図４は本実施形態にかかる粘着シートを示した図、図５は粘着シートの概略断面図、図６は本実施形態にかかる貼付パッドを収納するケースの断面図である。
【００１１】
本実施形態の磁気治療器は、肩こりや腰痛などを緩和する治療器具として使用されるものであり、体へ貼り付ける治療面１２が設けられた貼付パッド１０と、この貼付パッド１０の治療面１２に貼り付けられる粘着シート２０とを備えて構成されている。
【００１２】
貼付パッド１０は、図２に示すように、パッド本体１と磁気発生体２とを備えており、本実施形態では、互いに分離可能な上部ケース１３と下部ケース１４とを接合することで内部空間８を有するようにパッド本体１を形成し、この内部空間８に磁気発生体２を収容させるようにしている。
【００１３】
パッド本体１の下部ケース１４は、底壁１６の外周から周壁１７が立設された略凹状を成しており、底壁１６の内面１１からは、磁気発生体２の磁石５を挟み込むように収容して当該磁石５の水平方向の移動を規制する内壁１５が突設されている。
【００１４】
そして、本実施形態では、この下部ケース１４の底壁１６の裏面が貼付パッド１０を体に貼り付ける治療面１２として機能するようになっており、この治療面１２に凸状の突部７が設けられている。この突部７は、図２、図３に示すように、本実施形態では、円形状に形成される治療面１２の中央部分に断面略台形状に突設されている。
【００１５】
磁石５は、例えばフェライト磁石などの磁場の強い永久磁石が用いられる。磁石５は円柱状を成していて、当該磁石５の一方の面が前記下部ケース１４の底壁１６の内面１１に接触して設けられ、他方の面には当該磁石５が持つ吸着力を増幅するための軟鉄板であるヨーク６が配設される。このように、本実施形態では、パッド本体１の内部空間８に収容される磁気発生体２は磁石５とヨーク６とを備えている。
【００１６】
上部ケース１３は、前記下部ケース１４と略同様に形成されていて、底壁４６の外周から周壁４７が立設された略凹状を成している。上部ケース１４の内面４１には、前記ヨーク６を挟み込むように収容して当該ヨーク６の水平方向の移動を規制する内壁４５が突設されている。また、この内壁４５の近傍には、前記ヨーク６に当接して設けられる突部４３が突設されている。本実施形態では、この突部４３が上部ケースの周方向に沿って所定の間隔を空けて３つ配設されている。また、上部ケース１３の裏面４２には、弾性状のカバー部材４が貼り付けられている。
【００１７】
このようにして形成される貼付パッド１０は、まず、上部ケース１３と下部ケース１４の間に形成される内部空間８に磁気発生体２を配設して、上部ケース１３の周壁４７の端部４８を下部ケース１４の底壁１６の内面１１に超音波溶着加工により接合する。すると、上部ケース１３の内面４１から突設された３つの突部４３が超音波振動によりヨーク６に溶着し、これによりヨーク６ならびに磁石５をパッド本体１内にがたつくことなく収容することができる。
【００１８】
上部ケース１３と下部ケース１４を接合した際には、図２に示すように、上部ケース１３の周壁４７と下部ケース１４の周壁１７との間に隙間９が形成され、この隙間９には弾性状のＯリング１８が嵌合される。このようにＯリングで隙間９を塞ぐことにより、パッド本体１の内部空間８に水が浸入するのを防ぐことができる。
【００１９】
また、貼付パッド１０の治療面１２は、図３に示すように、凹凸状のシボが形成された粗面１２ａとされている。この粗面１２ａは、本実施形態では、突部７の周囲を覆うようにして治療面１２の中央部に形成されており、粗面１２ａの外周部は平坦面１２ｂとされている。治療面１２には、粘着シート２０が貼り付けられるようになっており、当該粘着シート２０を剥がし易いようにドット状や格子状にシボが形成されている。また、粗面１２ａの外周部を平坦面１２ｂとすることで治療面１２に粘着シート２０を貼り付き易くすることができる。
【００２０】
ここで、本実施形態では、図１に示すように、この貼付パッド１０は、治療面１２側がＮ極となるように磁石５が配置される第１の貼付パッド１０Ａと、治療面１２側がＳ極となるように磁石５が配置される第２の貼付パッド１０Ｂとを備えて構成されている。
【００２１】
第１の貼付パッド１０Ａと第２の貼付パッド１０Ｂとは、前記Ｏリング１８の色彩で識別が可能となっており、本実施形態では、治療面１２がＮ極となる第１の貼付パッド１０Ａは赤色のＯリング１８Ａが隙間９に嵌合され、治療面１２がＳ極となる第２の貼付パッド１０Ｂは青色のＯリング１８Ｂが隙間９に嵌合されている。
【００２２】
このように本実施形態では治療面１２の極性が異なる２つの貼付パッド１０を用いることで、交互に使い分けの可能な商品を提供することができる。
【００２３】
また、本実施形態の磁気治療器は、貼付パッド１０と当該貼付パット１０を体に貼り付けるための粘着シート２０とが別々に設けられており、使用者が磁気治療器を使用する度に、粘着シート２０を貼り替えて使用することができる点にも特徴を有している。
【００２４】
次に、図４、図５を参照して、本実施形態の粘着シート２０について説明する。
【００２５】
粘着シート２０は、図４、図５に示すように、中央部分に貼付パッド１０の治療面１２に形成された突部７を挿通させるための孔２５が設けられ、当該貼付パッド１０の治療面１２に貼り付けられる粘着剤層２３と、粘着剤層２３の一方の面に貼り付けられる第１の剥離紙２２と、粘着剤層２３の他方の面に貼り付けられる第２の剥離紙２４とを備えている。
【００２６】
粘着剤層２３は、貼付パッド１０の治療面１２と略同様の大きさを成すようにして、本実施形態では、涙滴状に形成されている。このように粘着剤層２３を涙滴状に形成することで、治療面１２に貼り付けられた粘着剤層２３を剥がし易くすることができる。
【００２７】
粘着剤層２３と第１の剥離紙２２との粘着強度は、粘着剤層２３と第２の剥離紙２４との粘着強度よりも強くなるように形成されていて、これにより粘着剤層２３と第１の剥離紙２２とが接合された状態で第２の剥離紙２４から剥がすことができ、第２の剥離紙２４から剥がされた粘着剤層２３の他方の面を貼付パッド１０の治療面１２に貼り付けることができる。
【００２８】
また、第１の剥離紙２２は、粘着剤層２３よりも大きく形成されていて、これにより第１の剥離紙２２を粘着剤層２３の一方の面から容易に剥がすことができ、第１の剥離紙２２から剥がされた粘着剤層２３の一方の面を体に貼り付けることができる。
【００２９】
次に、図６を参照して、本実施形態の貼付パッド１０を収納するケース３について説明する。
【００３０】
ケース３は、図６に示すように、互いに分離可能な上部ケース３１と下部ケース３２とを備えて構成されており、これら上部ケース３１及び下部ケース３２の内部には、貼付パッド１０に振動や衝撃が加わるのを防ぐためのクッション材３５、３６が配設されている。
【００３１】
下部ケース３２のクッション材３６には、略中央部分に貼付パッド１０を収納するための孔部３９が穿設されており、貼付パッド１０はこの孔部３９に治療面１２を下にして収納することができる。
【００３２】
また、下部ケース３２のクッション材３６の内部には、ケース３の剛性を保つための板部材３７、３８が配設されている。
【００３３】
そして、本実施形態では、下側に配設される板部材３８の下側に、貼付パッド１０の磁気が外部へ影響を及ぼすのを防ぐためのシールド板３０が配設されている。このシールド板３０は、貼付パッド１０をケース３に収容した際に、貼付パッド１０の磁石５から５ミリ以上離れた位置に配設される。
【００３４】
このような構成のケース３を用いることで、クレジットカード等の磁気カードや磁気の影響を受け易いものと貼付パッド１０とを同時に持ち運ぶことが可能となる。
【００３５】
以上、詳細に亘って説明してきたように、本実施形態では、治療面１２に凸状の突部７が設けられた貼付パッド１０を用いている。そのため、突部７によって治療面１２全体がくっついてしまうことを防止でき、これにより治療面１２を簡易に剥がすことが可能となる。
【００３６】
また、本実施形態の貼付パッド１０のパッド本体１は、内部空間８を有するように形成されており、この内部空間８に磁気発生体２が収容される構成としている。そのため、治療面１２を平坦に形成することができ、これにより体に当接するフィット感を向上させることができる。
【００３７】
また、本実施形態のパッド本体１は、上部ケース１３と下部ケース１４とを接合することにより形成されているため、内部空間８に磁気発生体２を容易に収容させることができる。
【００３８】
また、本実施形態では、上部ケース１３及び下部ケース１４を接合した際に形成される隙間９に弾性状のＯリング１８を嵌合させている。そのため、サウナ等の湿気やお風呂の水がパッド本体１の内部空間８に浸入するのを防ぐことができる。
【００３９】
また、本実施形態では、磁気発生体２は、上部ケース１３の内面４１に突設された突部４３によりパッド本体１に溶着されているため、磁気発生体２を貼付パッド１０のパッド本体１内にがたつくことなく収容することができる。
【００４０】
また、本実施形態では、貼付パッド１０の治療面１２には、中央部にシボが形成されていると共に、このシボの外周部は平坦面１２ｂとされているため、治療面１２に貼り付けられる粘着シート２０を剥がし易すくすることができる。また、シボの外周部を平坦面１２ｂとすることで、治療面１２に粘着シート２０を貼り付き易くすることができる。
【００４１】
また、本実施形態の貼付パッド１０は、治療面１２がＮ極となるように磁石５が配置される第１の貼付パッド１０Ａと、治療面１２がＳ極となるように磁石５が配置される第２の貼付パッド１０Ｂとを備えている。そのため、第１の貼付パッド１０Ａと第２の貼付パッド１０Ｂを交互に使い分けることが可能となり、人体に作用する磁気の慣れを防止することができる。また、これら第１及び第２の貼付パッド１０Ａ、１０Ｂをセット商品として売り出す場合には、図１に示すように、治療面１２の突部７同士を接合させてコンパクトに収納することができ、さらに、突部７同士が接合されるのみで治療面１２同士は接合されないため、互いに剥がし易く、手などを挟むことも抑制できる。
【００４２】
また、本実施形態では、第１の貼付パッド１０Ａのパッド本体１に嵌合されるＯリング１８Ａと第２の貼付パッド１０Ｂのパッド本体１に嵌合されるＯリング１８Ｂとで色彩が異なるため、簡易に識別することができる。
【００４３】
また、本実施形態では、貼付パッド１０の治療面１２に粘着シート２０を貼り付ける構成としているため、使用者が磁気治療器を使用する度に、粘着シート２０を貼り替えて使用することができるという利点がある。
【００４４】
また、粘着シート２０は、粘着材層２３と第１の剥離紙２２と第２と剥離紙２４とを備えており、粘着剤層２３と第１の剥離紙２２との粘着強度が、粘着剤層２３と第２の剥離紙２４との粘着強度よりも強いため、粘着剤層２３と第１の剥離紙２２とが接合された状態で第２の剥離紙２４から剥がすことができる。
【００４５】
また、第１の剥離紙２２は、粘着剤層２３よりも大きく形成されているため、第１の剥離紙２２を粘着剤層２３から容易に剥がすことができる。
【００４６】
また、粘着剤層２３には、貼付パッド１０の突部７を挿通させるための孔２５が設けられているため、この孔２５を介して突部７を逃がすことができる。
【００４７】
また、本実施形態では、磁気治療器の貼付パッド１０を収容した状態で当該貼付パッド１０から発生する磁気を遮蔽するシールド板３０が配設されたケース３を用いるため、クレジットカード等の磁気カードや磁気の影響を受け易いものと貼付パッド１０とを同時に持ち運ぶことが可能となる。
【００４８】
次に、図７に基づいて貼付パッドの変形例について説明する。図７に示す貼付パッド１００は、上記実施形態の貼付パッド１０に対して、治療面６２が異なるものであり、その他の構成は同じである。
【００４９】
本変形例では、図７に示すように、貼付パッド１００の治療面６２に形成される粗面６２ａのエリアを縮小して、この粗面６２ａの外周部に形成される平坦面６２ｂのエリアを拡げるようにしたものである。
【００５０】
このような構成とすることで、治療面６２の平坦面６２ｂに粘着シート２０の貼り付く範囲を拡げることができるため、上記実施形態の貼付パッド１０の治療面１２よりも粘着シート２０を治療面６２に貼り付き易くすることができるという利点がある。
【００５１】
以上、本発明の好適な実施形態について説明したが、本発明は上記実施形態には限定されず、種々の変形が可能である。例えば、本実施形態では、内部空間に磁石が配設された貼付パッドの治療面に突部を設けたが、治療面に磁石が露出した構成の貼付パッドを用いる場合には、磁石に突部を設けることも可能である。また、本実施形態では、貼付パッドの治療面に断面略台形状の突部を設けたが、突部はこのような形状に限定されるものではなく、例えば、凸曲面状の突部を設けたり、凸球面状の突部を設けたり、突起を設けたりする等、種々の変形が可能である。また、本実施形態では、貼付パッドの治療面に１つの突部を設ける構成としたが、この突部の数も限定されるものではなく、複数の突部を治療面に設ける構成としてもよい。また、その際に、形状の異なる複数の突部を治療面に設ける構成としてもよい。
【図面の簡単な説明】
【００５２】
【図１】本発明の一実施形態にかかる磁気治療器の第１及び第２の貼付パッドを示した図。
【図２】本発明の一実施形態にかかる貼付パッドの断面図。
【図３】本発明の一実施形態にかかる貼付パッドの治療面を示した図。
【図４】本発明の一実施形態にかかる粘着シートを示した図。
【図５】本発明の一実施形態にかかる粘着シートの概略断面図。
【図６】本発明の一実施形態にかかる貼付パッドを収納するケースの断面図。
【図７】本発明の一実施形態にかかる貼付パッドの変形例を示した図。
【符号の説明】
【００５３】
１    パッド本体
２    磁気発生体
７    突部
１０  貼付パッド
１２  治療面
【図１】
2010119784.tif 000003
【図２】
2010119784.tif 000004
【図３】
2010119784.tif 000005
【図４】
2010119784.tif 000006
【図５】
2010119784.tif 000007
【図６】
2010119784.tif 000008
【図７】
2010119784.tif 000009